(57)【特許請求の範囲】
【請求項１】
平面ほぼ逆Ｕ字形のロール紙ホルダ１における左右の側片２の各内面にそれぞれ起伏可能で水平自己復帰するロール紙筒心受け３を設け、これら筒心受け３で支持したロール紙４の上部外周面に前記ホルダ１の後側上部に枢支したカバー５の前辺下部を弾接し、この弾接部を経たロール紙引出し部４ａを繰り出して前記カバー５の前辺刃先５ａでカットできるロール紙ホルダにおいて、前記カバー５をその後部左右の側辺枢支部６でホルダ側片２の後側上部内面に起伏可能に枢支するとともに、前記枢支部６から下方に延びるカバー突片７の枢支部７ａとホルダ側片２の下部における枢支部２ａとの間に、シリンダ８とこのシリンダからばね９の弾力で突出するピストン１０を介在させることで、前記カバー５の開き角度がロール紙上方約４５度付近を境界角としてカバー５を前記起伏二方向に前記ばね９で付勢してカバー５の起立状態とロール紙弾圧状態とを選択的に維持可能となし、かつ、前記ホルダ１の後側下部に枢支部１１Ａで上向きに枢支した回動片１１の上部に一方向回転のゴムローラ１２を枢支し、その外面を前記回動片１１の下向き付勢用ばね１３の弾力で前記ロール紙４の後部上面にこのロール紙の手動上昇時とロール紙繰出し回動時だけ空転可能に弾接し、前記ロール紙上昇後における前記カバー５の弾圧力によるロール紙４のゴムローラ方向に向かう下降復帰力で、ロール紙後部上面を前記ゴムローラ１２の非回転弾接摩擦により、ロール紙繰り出し方向へ回動させることで、ロール紙４の摘み代となる切断端辺４ｂを前記カバー５の前辺刃先５ａの下部から繰り出し可能となしたロール紙ホルダ。
【請求項２】
前記ゴムローラ１２の一方向回転機構として、ラチエットギヤ機構を用いてゴムローラ１２をロール紙４の手動上昇時とロール紙繰り出し回動時だけ空転可能となした請求項１記載のロール紙ホルダ。
【請求項３】
前記ゴムローラ１２の一方向回転機構として、ゴムローラ１２に軸着した枢軸１２Ａを前記回動片１１にその上部縦孔１１Ｂで可動枢支するとともに、この縦孔の下位置におけるゴムローラ１２の外面に回動片１１の突部１１Ｃを当接させることで、このゴムローラ１２の転動を阻止可能となした請求項１記載のロール紙ホルダ。
【請求項４】
前記ゴムローラ１２の一方向回転機構として、ゴムローラ１２の枢軸１２ＡにギヤＧを設けるとともに、この枢軸を前記回動片１１にその上部縦孔１１Ｂで可動枢支してこの縦孔の下位置における前記ギヤＧの歯面に回動片１１の突部１１Ｃを当接させることで、前記ゴムローラ１２の転動を阻止可能となした請求項１記載のロール紙ホルダ。
【発明の詳細な説明】
【０００１】
【発明の属する技術分野】
この発明は、トイレットペーパとかその他のロール紙やアルミホイールまたはプラスチックフイルム、不織布等ロール紙に近似したロール巻シート状物を保持するロール紙ホルダに関し、特にロール紙カバーの刃先下部からロール紙摘み代を簡単な操作で形成できるようにしたロール紙ホルダに関する。
【０００２】
【従来の技術】
従来、トイレットペーパーなどのロール紙ホルダーとして次に使用する人が取り出しやすいように、ロール状ペーパーの先端を所定の寸法だけカッターから引き出すようにしたものが周知である。
例えば、ロール状ペーパーを押さえてその端部を基準として切り取るためのカッターに、刃の先端からやや後方に窓を設け、この窓からロール状ペーパーを引き出して切断すれば、窓から次に使用する人がつまみやすいようにロール状ペーパーの端部が突出するようにしたものが有る。
【０００３】
また、実開昭６０−１０５４９７号公報に記載のような、カッターの上下回動に追随して昇降するラックと、ロール状ペーパーの支軸に取り付けたピニオンとを備え、上記ラックとピニオンとをロール状ペーパーの引き出し方向にのみ回転するように係合して、カッターの上げ下げに応じてロール状ペーパーが引き出されるようにしたものもと周知である。
【０００４】
しかしながら、上記従来例の前者のものにおいては、引き出したロール紙の端末部分が露出しており、またカッターの上向き部分おいて引き出しおよび切断作業が行なわれるため危険であるし、非衛生的であり、しかもロール状ペーパーのセット時にその都度ロール状ペーパーの先端をカッターに設けた窓に通しておく必要があり、非常に面倒であった。
また後者のものにおいても、カッターを手で持ち上げての上げ下げが必要であり、しかもロール状ペーパーの先端が次の使用の前にカッターから自動的に突出している状態にすることはできなかった。
【０００５】
これらの問題点を解消しようとしたトイレットペーパーホルダーとして、例えば、実公平６−３６７９８号公報記載のもののように、ロール状ペーパーを支軸と共に、上下動できるようにし、この上下動に応じて上記支軸をロール紙の引き出し方向へ所定の角度回転させるラックとラチェット式のピニオンを設け、ロール状ペーパーを支軸上で下降させた状態でロール状ペーパーをカッターで切断し、次にカッターを元の位置に復帰させることで、ラックとラチェット式ピニオンによって支軸もロール紙繰り出し方向へ回転し、自動的にロール状ペーパーの先端がカッターの先端から突出するようにしたものも周知である。
【０００６】
【発明が解決しようとする課題】
ところがこの従来例は、ロール紙の筒芯支軸をカッタの上げ下げにより、ラックとラチェット式ピニオンを介し回転させてロール紙を繰り出すものだから、ロール紙の筒芯を前記支軸に対し着脱可能に、しかも空転しないように装着する構成と、ラックとラチェット式ピニオンとの組み合せ構成とが、必要であり、これらの各構成は、複雑かつ組立て面倒で作業性が悪い。また、この従来例は、ロール紙の筒芯を長寸の支軸で支持するものだから、図２に示すような、本出願人が先に提案した実用新案登録第３０６１３２９号公報記載のロール紙ホルダーのように、左右の中空側片２、奥の壁面取付部１Ａとを少なくとも備える平面ほぼ逆Ｕ字型のホルダー本体１の左右の側部の内面に対称的に設けたロール紙４の出し入れで上向き回動して出没し、ロール紙筒芯４Ａと係合する水平自己復帰の筒芯受け３により、ロール紙４の着脱が極めて容易なトイレットペーパ等のロール紙ホルダーには使用できないという本質的な問題点が有る。
【０００７】
また、これとは別に、特開平１０−２０１６６１号公報記載のものも周知である。
この従来例は、前方側を開口し略コ字状に側壁を形成した支持体と、前記支持体の左右側壁間に枢支したロールペーパーを回動自在に保持する支持軸とを備えたペーパーホルダーにおいて、前記支持体の左右の側壁間に上下揺動自在に枢支してあり、その取付軸を中心としてなる円弧状のラックを下面側に垂設したカバーと、このカバーの押し下げ操作時復帰へ付勢する第一のスプリング及びペーパーロール面へ押圧付勢する第二のスプリングを有し、前記カバーへ特定範囲内で揺動可能に当該カバーの取付軸と同芯上で軸支されて前記第二のスプリングの付勢を受け伝達するＨ字状のアームと、前記アームの揺動端側に軸支してあって前記カバーのラックと係合し一方向へのみ回転を伝達するワンウエイクラッチに関連させてロールペーパーを押圧しながら回転させるローラーとを具備した自動吐出式ペーパーホルダーである。
【０００８】
この従来例によれば、ペーパーホルダーに装着したロールペーパーは、カバーの特定個所を押圧して押し下げ復帰させた時、上記ローラの回転力で自動的に回転し、そのペーパー先端部をカバーの押し下げ量に相当する長さだけ吐出させることができるが、実際にロール紙を使用するには、先ず、ロール紙を所望長引き出した後、片方の手でカバーの先端辺を固定し、または、その上昇弾力に抗しロール紙外周面に押し当てながら、他方の手で上記引き出した紙を持ち上げてその基部をカバー先端辺に当てがい、上記引き出した紙をカットしなければならないから、片手で紙カットができず、この紙カット操作が面倒で厄介であるという使用上の本質的かつ、大きな問題点が有る。
【０００９】
さらに、この従来例も、前記従来例と同様に、ロール紙の筒芯を長寸の支軸で支持するものだから、前述した図２に示すようなロール紙の着脱が極めて容易なトイレのペーパーホルダーには使用できないという本質的な問題点が有る。
【００１０】
この発明は、これら各従来例における多くの問題点を除去するためになされたもので、その目的とする処は、ロール紙ホルダに対し、ロール紙の装填と使用済筒芯の取り外しとを容易とすると共に、ホルダやカバーに手を触れることなく、ロール紙を小寸持ち上げるだけの片手操作で、カバー前辺刃先下部から手前に向けてロール紙の摘み代となる切断端辺を自動的に繰り出せるようにすることに有る。
【００１１】
【課題を解決するための手段】
上記したこの発明の目的は、ロール紙をそのカバーの前辺刃先でカットできるロール紙ホルダを構成するに当り、前記カバーをその後部左右の側辺枢支部でホルダ側片の後側上部内面に起伏可能に枢支するとともに、前記枢支部から下方に延びるカバー突片の枢支部とホルダ側片の下部における枢支部との間に、シリンダとこのシリンダからばねの弾力で突出するピストンを介在させることで、前記カバーの開き角度がロール紙上方約４５度付近を境界角としてカバーを前記起伏二方向に前記ばねで付勢してカバーの起立状態とロール紙弾圧状態とを選択的に維持可能となし、かつ、前記ホルダの後側下部に枢支部で上向きに枢支した回動片の上部に一方向回転のゴムローラを枢支し、その外面を前記回動片の下向き付勢用ばねの弾力で前記ロール紙の後部上面にこのロール紙の手動上昇時とロール紙繰出し回動時だけ空転可能に弾接し、この上昇後における前記カバーの弾圧力によるロール紙のゴムローラ方向に向かう下降復帰力で、ロール紙後部上面を前記ゴムローラの非回転弾接摩擦により、ロール紙繰り出し方向へ回動させることで、ロール紙の摘み代となる切断端辺を前記カバーの前辺刃先の下部から繰り出し可能となしたことで達成できた。
【００１２】
【発明の実施の形態】
本発明の実施の形態のうち、先ず、本発明の基本的な形態例として好適な前記実用新案登録第３０６１３２９号公報記載のものについて図面を参照して説明する。
この発明の基本形態として適用する上記ロール紙ホルダは、図２に示すように、プラスチック成形して作った平面ほぼ逆Ｕ字形のロール紙ホルダ１における左右の中空側片２には、それぞれ周知手段で短寸のロール紙筒芯受け３を起伏可能で水平自己復帰するように突設するとともに、この筒芯受け３で保持したロール紙４を図２、図３の鎖線のように前記ホルダ１に備えるのであるが、このホルダ１の後部における側片上部にカバー５の後辺両側を予じめ枢支しておく。
【００１３】
次いで、このカバー５の前辺下部で弾圧しつつロール紙４を手で引き出せるようにロール紙４をその筒芯受け３でホルダ１に枢支し、このロール紙引出し部４ａを前記カバー５のロール紙弾圧力を用いてその前辺に設けた細かい連続方形歯状等の刃先５ａに強接上動させることで、ロール紙をカットできるロール紙ホルダを構成する。
【００１４】
そして、前記カバー５は、その側辺端部のヒンジピンなどの枢支部６でホルダ側片２，２の奥側上部におけるヒンジ凹部などのヒンジ部６に起伏可能に枢支してあり、前記枢支部６から手前に直角に延びるカバー突片７の枢支部７ａとホルダ側片２の内側面下部に突設したヒンジピンなどの枢支部２ａとの間に、図１、図２のようなプラスチック成形筒体からなるシリンダ８と、このシリンダ内から鋼線コイルスプリングによる引きばね９の牽引弾力で突出するピストン１０を引きばね９の弾力に抗して図１、図２のように介在させる。
【００１５】
さらに、前記カバー５の開き角度がロール紙上方約４５度付近で、図４のように上記引きばね９が最も伸張してピストン１０がシリンダ８内に深く沈み込むように、前記各枢支部２ａ，７ａ，６をそれぞれ直線状に位置設定することで、上記４５°付近を境界角としてカバー５を前記起伏二方向に、前記引きばね９の縮み牽引力によるピストン１０の突出力で付勢して、カバー５の図１、図２に示す起立状態と図５、図６に示すロール紙弾圧状態とを選択的に維持可能な本発明によるロール紙ホルダを構成し、このホルダ１を図３のようにトイレットの壁面ａなどにコンクリ針などの止め具ｎで取付け固定して用いる。
【００１６】
なお、前記各図において、符号２Ａで示す部材は、主として側片２の外面に前記ピストンシリンダを実装後、その外面を覆ったり、筒芯受け３を枢支するための浅皿形側片カバーであり、また、ロール紙のカバー５の刃先５ａの下部には滑り易く仕上げたロール紙滑動弾圧部５ｂを突出形成する。
さらに、左右のロール紙筒芯受け３は、その基部３ａで図１、図２のように、ホルダ側片２と、上記側片カバー２Ａとに対し、その凹所２Ｂ内に横枢軸３Ａ（図１参照）等の周知のヒンジ手段で枢支するとともに、枢軸３Ａに一体突設形成した端部固定の蔓巻ばね３Ｂと凹所２Ｂの下面を利用したストッパ等からなる周知の水平回動復帰手段で、常には図１の水平方向に向いていて、ロール紙４の空芯巻胴４Ａを回転可能に枢支できるようにしてある。
【００１７】
そして、ロール紙筒芯４Ａまたはロール紙４の上動で筒芯受け３を上記ばね３Ｂの弾力に抗し上向きに回動させることで、ホルダ１から空になった筒芯４Ａを取り出し、新しいロール紙４の筒芯４Ａで筒芯受け３をその水平復帰力に抗し上向き回動させてロール紙４を筒芯受け３に枢支し、この枢支状態を前記ばね等による筒芯受け水平回動復帰手段で維持できるようにしてある。
さらに、シリンダ８に対してピストン１０は、引きばね９の牽引弾力で突出させるようにしてあるが、その具体的手段としては、図１のように、シリンダ８内に挿入したピストン１０の基部１０Ａに圧入等で強固に横向きに植設した可動フックＦ１をシリンダ８の縦孔８Ａから外部に突出させるとともに、この突出した可動フックＦ１とシリンダ８の先端近くに強固に植設した固定フックＦ２との間に引きばね９をその弾力に抗し引掛け張設する。
【００１８】
また、ピストン１０のシリンダ８からの抜去は、上記可動フックＦ１がシリンダ縦孔８Ａの縁に弾接することで制限でき、また、ピストン１０を図４に示すように、ロールカバー５の回動力等の外力でシリンダ８内に引きばね９の弾力に抗し没入できるようにしてある。
【００１９】
本発明を適用するロール紙ホルダは以上のような構成をなし、この発明では、上記ロール紙ホルダ１の後部に図１、図７のように枢支部１１Ａで上向きに枢支した回動片１１の上部にロール紙幅の約半分の長さの一方向回転のゴムローラ１２を枢支し、その外面を前記回動片１１の下向き付勢用ばね１３の弾力で前記ロール紙４の後部上面にこのロール紙の手動上昇時とロール紙繰り出し回動時だけ空転可能に弾接させて備える。
【００２０】
そして、ロール紙の上昇後における前記ばね９によるカバー５の弾圧力とロール紙自己重力との和の力に基づくロール紙４のゴムローラ方向に向かう下降復帰力で、ロール紙後部上面を前記ゴムローラ１２の非回転弾接摩擦により、図８の状態から図９の状態を経てロール紙繰り出し方向へ回動させることで、ロール紙４の摘み代となる切断端辺４ｂを前記カバー５の前辺刃先５ａの下部から図１０のように繰り出し可能となした本発明によるロール紙ホルダ概略構造と構成する。
【００２１】
すなわち、より詳しく説明すれば、上記回動片１１は、図７のように、その基部１１ａに外向きに突設したヒンジボス（または孔）をホルダ側片２の内面に形成したヒンジ孔（またはヒンジボス）に係合させて上記回動片枢支部１１Ａとなし、この枢支部１１Ａに図１のようにゆるく巻回した蔓巻ばねなどからなる回動片下向き付勢用ばね１３の下端を図１、図７のように側片カバー２Ａの下部上面に弾接定位すると共に、上記ばね１３の上部を回動片１１の下部における外向き突部１１Ｄの後面に弾接させることで、回動片１１の上部に枢支したゴムローラ１２の外周面尖端が前記図７のようにロール紙４の後面上部外周面にその接点部Ｐ１で弾接するようにしてある。
なお、上記各図において符号１４で示した部分は、上記回動片突部１１Ｄを遊挿して回動片１１の下向き回動位置を制限するために側片２に形成したストッパ孔である。
【００２２】
本発明に用いる前記ゴムローラ１２の一方向回転機構として、前記各図示例では、ゴムローラ１２の枢軸１２ＡにギヤＧを軸着するなどして備えるとともに、この枢軸を前記回動片１１にその上部縦孔１１Ｂで上下方向に可動枢支してこの縦孔の下位置における前記ギヤＧの歯面に回動片１１に突設した突部１１Ｃを当接させることで、前記ゴムローラ１２の転動を阻止可能となした例を示してある。
【００２３】
また、前記ゴムローラ１２の一方向回転機構として、ゴムローラ１２の外周面に凹凸を形成したり、ローラを軟質ゴムで作り、このゴムローラ１２に軸着した枢軸１２Ａを前記回動片１１にその上部縦孔１１Ｂで上下に可動枢支するとともに、この縦孔の下位置におけるゴムローラ１２の外面自体に回動片１１の突部１１Ｃを当接させることで、このゴムローラ１２の転動を阻止可能となしてもよく、さらに、ゴムローラ１２は、鋸歯状歯面に弾性ストッパ片を弾接させた周知のラチェットギヤ機構により、ロール紙上動時とロール紙繰り出し回動時だけ空転させるようにしてもよい。
【００２４】
本発明の構成は、以上のようなもので、以下その使用動作例につき説明する。先ず、ホルダ１に対し、ロール紙カバー５をそのストッパ１Ａまで起立し直立させた図３の状態でロール紙４をホルダ１に枢支セットするには、使用者がロール紙の後部上面で回動片１１をばね１３の弾力に抗し持ち上げ回動させつつ、ロール紙４の左右側面でホルダ側片２，２から内向きに突出している左右の筒芯受け３，３を前記した回動復帰ばね３Ｂに抗して上向きに押し上げ倒して約３０°回動させた時点で、筒芯受け３，３の先端がロール紙４の筒芯４Ａから外れて筒芯受け３，３は、筒芯４Ａ内に図１、図２のように回動水平復帰係入してロール紙４をホルダ１に対し筒芯中心に回転可能にセットでき、ゴムローラ１２をロール紙４の後部上面に図７のように弾接させ置くことができる。
【００２５】
その後、使用者が直立のカバー５を図２、図３の状態から図４の状態（開度約４５°）まで手動で前記ピストン１０の突出力に抗し傾動すると、今度は、カバー５が図５のようにピストン１０の突出力でロール紙４の上面に向かい伏せてカバー下面のロール紙滑動弾圧部がロール紙４の上部に弾接し、図７のようなカバー５のロール紙弾圧初期セット状態となる。
使用者は、上記セット時、図２におけるロール紙４を予じめ手前に所望長さだけ引き出してロール紙の最初の引き出し摘み代となる引き出し部４ａを作っておき、このロール紙引き出し部４ａを引いて所望寸法引き出してその基部をカバー５のロール紙弾圧力を利用して刃先５ａに対し図５のように上方斜めに強制的に折曲しつつ強く上動させることで、刃先５ａでロール紙４をカットして使用することができる。
【００２６】
次回使用時には、図７のようにカット済ロール紙４の次の摘み代となる切断端辺４ｂを刃先５ａの直下からカバー外に繰り出して摘み代を作る必要があるから、次回使用者は、図１、図７に示すロール紙繰り出し前のロール紙４をその自重と、ゴムローラ１２と、前記ピストンばね９によるカバー５のロール紙弾圧力とに抗し、図７の状態から図８のようにロール紙４を僅かに持ち上げ初めると、先ずこの持ち上げ力でゴムローラ１２は、その枢軸１２ＡとギヤＧと共に縦孔１１Ｂの上位置まで図８のように持ち上がり、ギヤＧの僅かな上昇でその歯面から回動片突部１１Ｃが図８のように外れるので、ゴムローラ１２は、ロール紙４の後部上面に転接したまま空転し、回転フリーとなるから、上記ロール紙４の持ち上げには負担とならずロール紙４を容易に持ち上げ初めることができる。
【００２７】
ロール紙４をさらに図８の状態から図９のように筒芯４Ａの半径高さ程度ロール紙４を持ち上げ終える際に、図７、図８におけるゴムローラ１２に接したロール紙４の第１の接点部Ｐ１は、そのまま上記ゴムローラ１２を空転させながら上方に移動して図９のような持ち上げ終点ではゴムローラ１２よりも寸法Ｌだけ上方の点Ｐ１に移動し、その下方に第２番目のゴムローラ接点部Ｐ２が生じるが、ロール紙４の前記切断端辺４ｂは、未だ同図９のように右上り傾斜のカバー５の刃先５ａの直下のままである。
【００２８】
次いで、ロール紙４から上記持ち上げ力を除くと、今度は、ロール紙４がその自重とカバー５の弾圧力との和の下降力で図９の状態から図１０の原状に復帰する際に、主として、カバー５によるゴムローラ１２に向かうロール紙４の斜め下降力で、図１０のようにこのゴムローラ１２は平ギヤＧと共に縦孔１１Ｂの下位置まで下降し、ギヤＧの歯面に回動片突部１１Ｃが係合してゴムローラ１２は回転阻止状態となり、第２番目のロール紙接点部Ｐ２のロール紙外周部分を図９の下位置接点部Ｐ２から図１０のように上記不動のゴムローラ１２の外面との摩擦で見掛上蹴り上げることができ、ロール紙４をその繰り出し方向に上記寸法Ｌだけ回転させてロール紙切断端辺４ｂを繰り出すことで、同図１０のように寸法Ｌのロール紙引き出し部４ａを作ることができ、このときのゴムローラ１２とロール紙４との弾接部Ｐ２は、図９に示すロール紙上動終点における第２の接点部Ｐ２の位置と殆んど変らない。
【００２９】
その後、上記ロール紙引き出し部４ａをロール紙外周面に対するカバー５の弾接摩擦に抗して所望長だけ引き出し、その基部を前記と同様に刃先５ａで図５のようにカットして使用できるのであるが、この際にもゴムローラ１２は、前記ロール紙持ち上げ時と同様に、ロール紙後部上面の上向き回動力で回転フリーとなるから、ロール紙引き出しの負担にならず、騒音も生じない。
【００３０】
その次の使用時にも図８、図９に示す前回使用と同様なロール紙繰り出し手順で図１０のように刃先５ａの外部に摘み代となる切断端辺４ｂを刃先下から繰り出すことができ、継続使用により、図１１のようにロール紙４が小径となった場合にも、図９に対応した図１２の状態を経て図１０に対応した図１３のように寸法Ｌの摘み代を作り、ロール紙４を巻終りまで使用できる。
なお図１１から図１３までの各図の中で、前回図７から図１０までの各図と同一符号を付した部分は、それぞれ図７から図１０までの各図における同一部分または均等部分を示す。
【００３１】
使用済となった筒芯４Ａは、手動でカバー５を開いた後、筒芯４Ａを上動させることで、筒芯受け３と回動片１１とをその水平復帰力に抗して上に傾動させて取外すことができ、新しいロール紙４を前述した通り、ホルダ１に枢支セットし、カバー５でロール紙４の上部を弾圧すると共に、ゴムローラ１２を新しいロール紙４の後部上面に転接させることで、次の使用形態をを採ることができる。
【００３２】
なお、図６、図１３のようにカバー５や回動片１１を伏せたまま、ロール紙４またはその筒芯４Ａを筒芯受け３の水平復帰力と引きばね９によるカバー５の下動力と、他のばね１３による回動片１１の下動力との和の力に抗して上動させることで、前記したロール紙４のホルダセットおよび筒芯４Ａの取外しが実行できるが、このときには、カバー５をその後部がホルダ１のストッパ１Ａに当る直立状態まで図２、図３のように起立維持することで、ロール紙４の交換セットが容易となる。
【００３３】
【実施例】
カバー５のロール紙弾圧手段は、前記図示例の引きばね９によるピストン１０の突出力によるもの以外に、シリンダ内装の押し上げスプリングによるピストン１０の突出力を用いたり、その他Ω字形ばね等周知のロール紙４に対するカバー弾圧手段を採用できる。
また、ロール紙４の後面上部にゴムローラ１２を弾接させる手段も前記図示例の蔓巻ばね１３によるもの以外にコイルスプリングやゴム紐等の弾性体を用いることができる。
【００３４】
なお、前記カバー５の枢支部６は、カバー１体突設のヒンジピンをホルダ側片２のヒンジ孔（凹所）に係合させて枢支し、またはカバー５のヒンジ孔（凹所）を側片一体突設のヒンジピンに係合させてもカバー５をホルダ側片２，２間に枢支できる。
また、シリンダ８やピストン１０の枢支部２ａ，７ａもシリンダ８のヒンジ孔（凹所）とピストン１０のヒンジ孔（凹所）をそれぞれ突片７の枢支部７ａとなるヒンジピンと側片２のヒンジ部２ａとなる側片一体突設のヒンジピンに係合させて枢支させたり、または、各ヒンジ部２ａ，７ａにおけるヒンジ孔（凹所）とヒンジピンとを互いに置換形成して、上記各枢支部２ａ，７ａを構成でき、各枢支部とか、ゴムローラ枢軸１２Ａなどは、容易に外れないように枢支ピンや枢軸の先端に螺装した皿ねじの鍔や枢支ピンや軸先端の押し潰しフランジ形成等の周知手段で外れ止めを施こす。
【００３５】
さらに、側片２に対する目隠しカバー２Ａの取付手段の一例としては、側片２の外面にシリンダ８やピストン１０を覆って側面同形の浅皿形プラスチック製カバーや側片２，２よりも一回り大きい側片対応のプラスチック製カバーをホルダ１に対しねじ止めとか周知の雌雄係合係止手段で実装することができるが、これらの側片目隠しカバー２Ａは省略してもよい。
【００３６】
【発明の効果】
この発明は、以上のような形態を採用したので、以下に記載の効果を奏する。
本発明の請求項１と請求項２の各発明によれば、ロール紙繰り出し前のロール紙４をその自重と前記ピストンばね９によるカバー５のロール紙弾圧力とに抗し、筒芯４Ａの半径高さ程度ロール紙４を持ち上げると、回転可能な状態になったゴムローラ１２に接したロール紙４の第１の接点部Ｐ１は、そのまま上方ゴムローラ１２を回転させながら移動してこのゴムローラ１２よりも寸法Ｌだけ上方の点Ｐ１に移動し、その下方に第２番目のゴムローラ接点部Ｐ２を作った後、ロール紙４から上記持ち上げ力を除くと、今度は、ロール紙４がその自重とカバー５の弾圧力との和の下降力で原状に復帰する際に、主として、カバー５によるゴムローラ１２に向かうロール紙４の斜め下降力で、上記第２番目のロール紙接点部Ｐ２のロール紙外周部分を上記下降力で不動となったゴムローラ１２の外周面で見掛上蹴り上げることができ、ロール紙４をその繰り出し方向に上記寸法Ｌだけ回動させることで、寸法Ｌのロール紙引き出し部４ａをカバー刃先５ａの外部に自動的に作ることができる。
【００３７】
したがって、前記各発明によれば、片手操作でロール紙の摘み代となる切断端辺４ｂの刃先５ａからの繰り出しと所望長カットとをロール紙に大きな張力を与えることなく実行できたので、薄手ロール紙にも充分対応でき、しかもロール紙のホルダ内補充が多数回に亘り安定確実にできたという優れた効果が有る。
【００３８】
請求項３と４との各発明では、前記諸効果のほかに、ロール紙４の後部上面に対し、その上向き回動と共に上動して確実に空転するゴムローラ１２を弾接させたので、ロール紙４の手動上昇時と特にロール紙繰り出し回動を極く静かにしかも、紙に負担を掛けることなく実行できると共に、ロール紙４をその下降復帰時に一層確実に蹴り上げてロール紙を繰り出し方向に回動させることができたという効果を付加できた。
【図面の簡単な説明】
【図１】本発明によるロール紙ホルダの実施形態の一例を示す要部切断側面図
【図２】本発明によるロール紙ホルダの実施形態の概略を示す要部切欠斜視図
【図３】図１に示すものと状態を異にした縦断側面図
【図４】図３に示すものと状態を異にした縦断側面図
【図５】図４に示すものと状態を異にした縦断側面図
【図６】図５に示すものと状態を異にした縦断側面図
【図７】本発明によるロール紙ホルダの動作順序を示す縦断側面図
【図８】本発明によるロール紙ホルダの動作順序を示す縦断側面図
【図９】本発明によるロール紙ホルダの動作順序を示す縦断側面図
【図１０】本発明によるロール紙ホルダの動作順序を示す縦断側面図
【図１１】本発明によるロール紙ホルダの動作順序を示す縦断側面図
【図１２】本発明によるロール紙ホルダの動作順序を示す縦断側面図
【図１３】本発明によるロール紙ホルダの動作順序を示す縦断側面図
【符号の説明】
１      ロール紙ホルダ
２      ホルダの側片
２ａ    ホルダ側片に設けた枢支部
３      筒芯受け
３Ａ    筒芯受け枢支部
３Ｂ    筒芯受けの自己水平復帰用ばね
４      ロール紙
４Ａ    ロール紙の筒芯
４ａ    ロール紙引出し部
４ｂ    ロール紙の摘み代となる切断端辺
５      ロール紙カバー
５ａ    上記カバーの前端刃先
６      カバーの枢支部
７      カバー突片
７ａ    カバー突片の枢支部
８      シリンダ
９      引きばね
１０    ピストン
１１    ロール紙の後面上部に弾接するゴムローラを備えた回動片
１１ａ  上記回動片の基部
１１Ａ  上記回動片の枢支部
１１Ｂ  回動片の上部縦孔
１１Ｃ  回動片に突設したストッパ用突部
１１Ｄ  回動片内面下部に突設した内向き突部
１２    ゴムローラ
１２Ａ  ゴムローラの枢軸
１３    回動片の下向き回動付勢用ばね
１４    回動片の下向き回動を制限するためのストッパ孔
Ｇ      ゴムローラ枢軸に設けたギヤ
【図１】
0004478997.tif 000002
【図２】
0004478997.tif 000003
【図３】
0004478997.tif 000004
【図４】
0004478997.tif 000005
【図５】
0004478997.tif 000006
【図６】
0004478997.tif 000007
【図７】
0004478997.tif 000008
【図８】
0004478997.tif 000009
【図９】
0004478997.tif 000010
【図１０】
0004478997.tif 000011
【図１１】
0004478997.tif 000012
【図１２】
0004478997.tif 000013
【図１３】
0004478997.tif 000014